(57)【要約】【課題】  筒状カバー内に発光体が容易に取り付けられるライン状ランプ、このライン状ランプの製造方法およびライン状ランプを装着する照明器具を提供する。【解決手段】  ライン状ランプ１は、長手方向に亘る一対の保持溝７，７を有する保持部８，８が内面側に形成された透光性の筒状カバー２と、長尺のフレキシブル基板１０、基板１０の一面１０ａ側に長手方向に沿って設けられた発光部１１および基板１０の長手方向の一端部１０ｃに設けられた引掛部１２を有し、引掛部１２が筒状カバー２の内側から引っ張られて基板１０が一対の保持溝７，７に挿入されて筒状カバー２に収納された発光体３と、を具備している。【選択図】図１
2016025016.tif 000002
【特許請求の範囲】
【請求項１】
内面側に長手方向に亘る一対の保持溝を有する保持部が形成された透光性の筒状カバーと；
長尺のフレキシブル基板、この基板の一面側に長手方向に沿って設けられた発光部および前記基板の長手方向の一端部に設けられた引掛部を有し、この引掛部が前記筒状カバーの内側から引っ張られて前記基板が前記一対の保持溝に挿入されて前記筒状カバーに収納された発光体と；
を具備していることを特徴とするライン状ランプ。
【請求項２】
前記基板は、前記引掛部および前記発光部の間に前記一対の保持溝への挿入を導く切れ目が設けられていることを特徴とする請求項１記載のライン状ランプ。
【請求項３】
前記発光体は、前記基板の長手方向の他端部に前記発光部に電気接続する電気接続部を有していることを特徴とする請求項１または２記載のライン状ランプ。
【請求項４】
前記発光体は、前記引掛部が開口であることを特徴とする請求項１ないし３いずれか一記載のライン状ランプ。
【請求項５】
前記発光体は、前記引掛部の周囲に補強手段が設けられていることを特徴とする請求項１ないし４いずれか一記載のライン状ランプ。
【請求項６】
前記発光体は、前記基板の短手方向の中央部の一面側に前記発光部が設けられ、前記筒状カバーは、前記基板の前記中央部の他面側が接触するように前記保持部が形成されていることを特徴とする請求項１ないし５いずれか一記載のライン状ランプ。
【請求項７】
前記筒状カバーの内側に通した引掛手段を前記発光体の前記引掛部に引っ掛ける引掛工程と； 
引掛手段を引っ張って前記基板を前記一対の保持溝に挿入し、前記引掛部が設けられた前記基板の一端部を前記筒状カバーから導出させる基板挿入工程と；
前記筒状カバーから導出した前記基板の一端部側を切断する切断工程と；
を有して形成されるライン状ランプの製造方法。
【請求項８】
請求項１ないし６いずれか一記載のライン状ランプと；
このライン状ランプが装着される器具本体と；
を具備していることを特徴とする照明器具。
【発明の詳細な説明】
【技術分野】
【０００１】
本発明の実施形態は、発光部がフレキシブル基板に設けられるライン状ランプ、このライン状ランプの製造方法および当該ライン状ランプを装着する照明器具に関する。
【背景技術】
【０００２】
ライン状ランプである直管形ランプは、照明において広く利用されている。近年、直管形ランプは、光源として省電力や長寿命などの利点を有するＬＥＤ（発光ダイオード）を用いた直管形ＬＥＤランプが従来の直管形蛍光ランプに替えて広く普及してきている。
【０００３】
直管形ＬＥＤランプは、例えば、透光性を有する長尺状の直管と、直管の長手方向の両端に設けられた一対の口金と、直管に収納された基台と、基台上に設けられたＬＥＤモジュール（発光体）とを有して構成されている。そして、ＬＥＤモジュールは、例えば、長尺状かつ平板状のリジット基板およびＬＥＤを有してなり、リジット基板の一面側に長手方向に沿ってＬＥＤが実装され、リジット基板の他面側が長手方向に亘って基台に載置されている（例えば特許文献１参照。）。基台は、アルミニウムなどの高熱伝導率を有する金属からなり、リジット基板を取り付けると共に、ＬＥＤに発生する熱を放熱空間側に熱伝導する機能を有している。
【０００４】
しかしながら、基台は、直管内において直管の長手方向に亘って設けられるので、容積が大きくなり、価格が高くなって、直管形ＬＥＤランプの製造費を上昇させる要因となっている。また、基台は、長手方向の両端において口金に支持されるので、基台およびリジット基板のそれぞれの自重により、特に長手寸法が大きくなる程、しなる（撓む）という問題がある。
【０００５】
このため、直管形ＬＥＤランプには、リジット基板に替えて、フレキシブル基板にＬＥＤを実装するＬＥＤモジュールが用いられているものがある。そして、フレキシブル基板は、基台に接着剤やねじにより固定され（例えば特許文献２参照。）、また、板ばねにより取り付けられているものがある（例えば特許文献３参照。）。また、基台にレール状の取付溝を設けて、この取付溝にフレキシブル基板を挿入しているものがある。
【先行技術文献】
【特許文献】
【０００６】
【特許文献１】特開２０１４−７２１５１号公報（第６，１２頁、第２図）
【特許文献２】特開２０１４−４４９０９号公報（第６頁、第３図）
【特許文献３】特開２０１２−２２１９００号公報（第１０頁、第６図）
【発明の概要】
【発明が解決しようとする課題】
【０００７】
フレキシブル基板の基台への取付工程において、接着剤やねじによる取り付けは、手間を要して、製造コストを上昇させるという欠点を有する。また、板ばねによる取り付けは、基台自体の構造が複雑となり、基台をコストアップさせるという欠点を有する。
【０００８】
そして、基台の取付溝にフレキシブル基板を挿入する取り付けは、フレキシブル基板の少なくとも短手方向の中央部（ＬＥＤ実装部）を基台に接触させるために、取付溝の挿入空間が可能な限り小さく形成されるので、フレキシブル基板を取付溝に挿入しづらく、挿入に手間を要するという欠点を有する。
【０００９】
本実施形態は、筒状カバー内に発光体が容易に取り付けられるライン状ランプ、このライン状ランプの製造方法およびライン状ランプを装着する照明器具を提供することを目的とする。
【課題を解決するための手段】
【００１０】
本実施形態のライン状ランプは、筒状カバーおよび発光体を有して構成されている。筒状カバーは、透光性を有し、内面側に一対の保持溝を有する保持部が形成されている。一対の保持溝は、筒状カバーの長手方向に亘って形成されている。
【００１１】
発光体は、長尺のフレキシブル基板、発光部および引掛部を有して形成されている。発光部は、フレキシブル基板の一面側に長手方向に沿って設けられ、引掛部は、フレキシブル基板の長手方向の一端部に設けられる。発光体は、引掛部が筒状カバーの内側から引っ張られてフレキシブル基板が一対の保持溝に挿入されることにより、筒状カバーに収納される。
【発明の効果】
【００１２】
本実施形態のライン状ランプによれば、発光体は、引掛部が筒状カバーの内側から引っ張られることにより、フレキシブル基板が保持部の一対の保持溝に挿入されるので、筒状カバーに発光体を容易に収納できることが期待できる。
【図面の簡単な説明】
【００１３】
【図１】本発明の第１の実施形態を示すライン状ランプの筒状カバーを透過した概略上面図である。
【図２】同上、ライン状ランプの概略縦断面図である。
【図３】同上、発光体の概略上面図である。
【図４】同上、発光体の筒状カバーへの導入を示す概略上面図である。
【図５】同上、フレキシブル基板の一対の取付溝への挿入過程を示し、（ａ）は挿入直前の概略断面図、（ｂ）は挿入後の概略断面図である。
【図６】本発明の第２の実施形態を示す照明器具の概略斜視図である。
【発明を実施するための形態】
【００１４】
以下、本発明の一実施形態について、図面を参照して説明する。まず、本発明の第１の実施形態について説明する。
【００１５】
本実施形態のライン状ランプは、直管形ランプ１であり、図１ないし図３に示すように構成される。図１において、直管形ランプ１は、筒状カバー２、発光体３および口金４，５を有して形成されている。なお、図２において、口金４，５は省略している。  
【００１６】
図２において、筒状カバー２は、外面が円形状の略筒状に形成され、配設部６、この配設部６の短手方向両側に形成されて一対の保持溝７，７を有する保持部８，８および配設部６と対向する方向に形成された透光部９を備え、これらが基材の樹脂としての例えばポリカーボネート（ＰＣ）樹脂を用いて一体成型されている。筒状カバー２は、その外径が例えば２５ｍｍであり、その全長が従来の蛍光ランプとほぼ同等に形成されている。発光体３は、配設部６および保持部８，８に配設されて筒状カバー２に収納されている。
【００１７】
透光部９は、例えばポリカーボネート樹脂にグラスファイバーを分散した材料で略一定の肉厚で形成されている。透光部９は、筒状カバー２の保持部８，８よりも光出射側、例えば３/４以上の大部分を構成し、発光体３の後述する発光部１１から出射した光が外部空間に透過するように透明または光拡散性を有している。すなわち、筒状カバー２は、少なくとも透光部９が透光性を有している。また、透光部９は、グラスファイバーが分散されることによりポリカーボネート樹脂の基材のみの場合に比べて強度が高くなっている。
【００１８】
配設部６および保持部８，８は、基材であるポリカーボネート樹脂にタルクを分散させて形成したものであり、光反射性を有する白色であるとともに、熱伝導率が高くなるように形成されている。なお、配設部６および保持部８，８には、タルクの他、グラスファイバーやカーボン等を分散した樹脂を用いてもよい。
【００１９】
配設部６は、透光部９に比べて肉厚で空洞のない中実に形成され、平面状の基板載置面６ａおよび筒状カバー２の外面の一部を構成する円弧状の外周面６ｂを有している。配設部６は、その材料および構造により、長手方向に直交する方向に対する曲げ応力を向上させている。また、基板載置面６ａから外周面６ｂに至る経路は、発光体３の熱を外部空間へ放熱するための放熱経路となっている。配設部６は、その熱伝導率が透光部９よりも高いため、筒状カバー２のヒートシンクとしても機能する。
【００２０】
保持部８，８は、筒状カバー２の内面側において筒状カバー２の長手方向に亘り、配設部６の両側部から筒状カバー２の中心軸側に突出する立ち上がり部８ａ，８ａ、この立ち上がり部８ａ，８ａから配設部６の基板載置面６ａに向かって対向配置する爪部８ｂ，８ｂが形成され、爪部８ｂ，８ｂの内側に一対の保持溝７，７が形成されている。爪部８ｂ，８ｂは、立ち上がり部８ａ，８ａから基板載置面６ａに向かって近接するように形成されている。
【００２１】
このように構成された透光部９、配設部６、保持部８，８を有する筒状カバー２は、例えば２色成形等の成形技術によって、異なる材料から一体的に形成されている。すなわち、透光部９と、配設部６および保持部８，８とは基材に含まれる材料または材料比が異なる別部材であるが、一つの部材として一体的に形成されている。
【００２２】
発光体３は、図３に示すように、長尺のフレキシブル基板１０、このフレキシブル基板１０の一面１０ａ側に長手方向に沿って設けられた発光部１１、フレキシブル基板１０の長手方向の一端部１０ｃに設けられた引掛部１２および長手方向の他端部１０ｄに設けられた電気接続部としてのコネクタ１３を有して形成されている。また、本実施形態では、フレキシブル基板１０は、一端部１０ｃにおいて、引掛部１２および発光部１１の間に一対の切れ目１４，１４が設けられている。
【００２３】
フレキシブル基板１０は、例えば、厚さ１ｍｍのポリイミドからなるフィルム状の絶縁材と配線パターンを積層して形成されている。発光部１１は、複数個のＬＥＤ１５により形成されている。複数個のＬＥＤ１５は、フレキシブル基板１０の短手方向の中央部１０ｅの一面１０ａ側に実装されているとともに、長手方向に沿って等間隔に設けられている。また、複数個のＬＥＤ１５は、配線パターンに電気的に接続されて、配線パターンにより例えば直並列に接続されているとともにコネクタ１３に電気接続されている。ＬＥＤ１５は、例えば白色光を放射する表面実装型のパッケージ品からなっている。なお、発光部１１は、複数個のＬＥＤチップの全体を封止部材で封止したＣＯＢ型に形成されてもよく、有機ＥＬ等の発光素子を用いて形成してもよい。
【００２４】
引掛部１２は、長尺のフレキシブル基板１０を引っ張るために設けたものであり、本実施形態では、正方形の開口１６に形成されている。なお、開口１６は、正方形の形状に限定されるものではなく、円形や多角形など、いかなる形状であってもよい。また、引掛部１２は、開口１６に限定されなく、引掛手段としての引掛具に引っ掛けられるものであればよく、例えば突起や段差などの凸部であってもよい。また、引掛部１２は、引掛具に把持されるように構成してもよく、この場合には、他の領域よりも厚く形成される。例えば、フレキシブル基板１０上にはんだや樹脂等が設けられて、引掛部１２が構成されてもよい。
【００２５】
そして、本実施形態では、開口１６の周囲に補強手段としてのはんだ１７が塗布されている。はんだ１７は、フレキシブル基板１０が引っ張られたときに、フレキシブル基板１０が引張力により開口１６から破断しないようにするために設けられている。なお、補強手段は、はんだ１７に限定されず、接着剤などの固化物、樹脂や金属の固形物など、引掛部１２の周囲を補強するものであればよい。
【００２６】
一対の切れ目１４，１４は、フレキシブル基板１０の長手方向の一端部１０ｃにおいて、引掛部１２および発光部１１の間に設けられているとともに、フレキシブル基板１０の短手方向の両側部１０ｆ，１０ｆに設けられている。一対の切れ目１４，１４は、両側部１０ｆ，１０ｆの側縁１０ｇ，１０ｇから引掛部１２に向かって互いに近づくように形成されている。すなわち、一対の切れ目１４，１４は、フレキシブル基板１０の両側部１０ｆ，１０ｆを始点１４ａとし、フレキシブル基板１０の内側を終点１４ｂとする直線状に形成され、フレキシブル基板１０の他端部１０ｄから一端部１０ｃの方向に向かって八字状に形成されている。一対の切れ目１４，１４は、開口１６において、フレキシブル基板１０が筒状カバー２の内側から引掛具により引っ張られたときに、筒状カバー２の一対の取付溝７，７にフレキシブル基板１０を一対の切れ目１４，１４から挿入させるために設けられている。なお、一対の切れ目１４，１４から挿入するだけに限定されるものではなく、一端部１０ｃの両側部１０ｆ，１０ｆを取付溝７，７に挿入するようにしてもよい。
【００２７】
フレキシブル基板１０は、図２に示すように、両側部１０ｆ，１０ｆが長手方向に亘って筒状カバー２の一対の保持溝７，７に挿入される。筒状カバー２は、フレキシブル基板１０の短手方向の中央部１０ｅの他面１０ｂ側が配設部６の基板載置面６ａに接触するように保持部８，８が形成されている。すなわち、保持部８，８は、爪部８ｂ，８ｂおよび一対の保持溝７，７が長手方向に亘ってフレキシブル基板１０の両側部１０ｆ，１０ｆを筒状カバー２の内側に弾性変形させて保持し、フレキシブル基板１０の中央部１０ｅを配設部６の基板載置面６ｂに押し当てるように形成されている。フレキシブル基板１０の中央部１０ｅは、配設部６に熱的に接続している。
【００２８】
こうして、発光体３は、フレキシブル基板１０が筒状カバー２の一対の保持溝７，７に挿入されて筒状カバー２に挿入される。そして、発光体３は、フレキシブル基板１０の一面１０ａのコネクタ１３、ＬＥＤ１５およびはんだ１７を除く領域に、絶縁層または光の反射率が高い反射膜を形成している。
【００２９】
図１において、筒状カバー２の長手方向の両端部２ａ，２ｂには、それぞれ口金４，５が設けられている。口金４，５は、一般社団法人日本電球工業会規格の口金ＧＸ１６ｔ−５であり、電気絶縁性を有する合成樹脂例えばポリブチレンテレフタレート（ＰＢＴ）樹脂により、それぞれ有底の円筒状に形成されている。口金４，５には、筒状カバー２の長手方向の両端部２ａ，２ｂが挿入され、図示しない固定手段例えば接着剤によって固定されている。
【００３０】
口金５は、給電端子側口金であり、一対の給電用接触子１８，１８を配設している。また、口金４は、アース端子側口金であり、１個の保持子１９を配設している。一対の給電用接触子１８，１８は、例えば黄銅からなり、比較的肉厚の大きい略板状に形成されている。保持子１９は、直方体に形成されて、口金４の底部２０の外面２０ａの中央部に設けられている。すなわち、保持子１９は、口金４と一体に形成されており、底部２０の外面２０ａから突出している。  
【００３１】
口金５は、その底部２１の外面２１ａに平板状の凸部２２が設けられている。この凸部２２は、略長方形に形成され、外面２１ａの中央部に設けられている。一対の給電用接触子１８，１８は、インサート成形により設けられ、口金５の底部２１および凸部２２を貫通している。また、一対の給電用接触子１８，１８は、その先端側１８ａ，１８ａがＬ形となるように折り曲げられているとともに互いに遠ざかる方向となるようにして、凸部２２に取り付けられている。そして、一対の給電用接触子１８，１８は、口金５内および筒状カバー２内に配線された図示しない接続線により、フレキシブル基板１０の他端部１０ｄに配設されたコネクタ１３に電気接続されている。
【００３２】
次に、本発明の第１の実施形態の作用について述べる。
【００３３】
直管形ランプ１の組立は、本実施形態において、引掛工程、基板挿入工程、切断工程および口金取付工程を有して行われている。引掛工程では、図４に示すように、引掛手段としての引掛具２３が準備される。引掛具２３は、例えば断面四角形の直線状の剛体であり、先端側２３ａが折り返されて、開口１６においてフレキシブル基板１０を引っ掛けるフック構造に形成されている。引掛具２３は、樹脂または金属のいずれで形成されてもよい。また、引掛具２３は、その断面が円形や多角形に形成されていてもよい。
【００３４】
引掛具２３は、筒状カバー２の内側に通されて基板載置面６ａに載置される。
【００３５】
そして、フレキシブル基板１０は、その開口１６に引掛具２３の先端側２３ａが挿入するようにして裏面１０ｂ側が引掛具２３に置かれる。この後、フレキシブル基板１０を長手方向で若干移動させて、引掛具２３の先端側２３ａを開口１６においてフレキシブル基板１０に引っ掛ける。こうして、筒状カバー２の内側に通した引掛具２３を発光体３の引掛部１２としての開口１６に引っ掛けられる引掛工程が行われる。
【００３６】
基板挿入工程では、引掛具２３が筒状カバー２の他端側２ｂから一端側２ａの方向に手動または引っ張り装置により引っ張られる。引掛具２３は、筒状カバー２の基板載置面６ａ上を移動する。そして、発光体２は、引掛具２３に引っ張られて筒状カバー２の他端側２ｂの端面側に移動し、筒状カバー２内に導入（挿入）する。ここで、引掛具２３は、例えば断面四角形の剛体であり、相応の厚さ（高さ）を有するので、発光体３が筒状カバー２内に導入するときに、フレキシブル基板１０の一端部１０ｃの引掛部１２（開口１６）側は、基板載置面６ａより浮き上っている。これにより、フレキシブル基板１０は、図５（ａ）に示すように、一端部１０ｃの両側部１０ｆ，１０ｆが保持部８，８の爪部８ｂ，８ｂに乗り上って筒状カバー２内に導入する。
【００３７】
フレキシブル基板１０は、その両側部１０ｆ，１０ｆが爪部８ｂ，８ｂに乗り上がって、さらに筒状カバー２内に引っ張られると、一対の切れ目１４，１４の終点１４ｂ，１４ｂ付近から引掛部１２側の両側部１０ｆ，１０ｆが基板載置面６ａから浮き上がる。そして、一対の切れ目１４，１４の終点１４ｂ，１４ｂが筒状カバー２内に導入すると、当該終点１４ｂ，１４ｂでのフレキシブル基板１０の中央部１０ｅは、基板載置面６ａに乗り上がる。
【００３８】
そして、フレキシブル基板１０は、引っ張られるにつれて、一対の切れ目１４，１４の終点１４ｂ，１４ｂから始点１４ａ，１４ａ側が筒状カバー２内に導入していく。このとき、一対の切れ目１４，１４から引掛部１２（開口部１６）側の両側部１０ｆ，１０ｆは、次第に爪部８ｂ，８ｂに乗り上がっていき、一対の切れ目１４，１４からフレキシブル基板１０の他端部１０ｄ側は、基板載置面６ａ上を移動していく。
【００３９】
フレキシブル基板１０は、一対の切れ目１４，１４の終点１４ｂ，１４ｂおよび始点１４ａ，１４ａの中間において、その両側部１０ｆ，１０ｆが一対の保持部８，８の一対の保持溝７，７に挿入する。フレキシブル基板１０は、一対の切れ目１４，１４から他端部１０ｄ側が基板載置面６ａ上を移動し、一対の切れ目１４，１４が引掛部１２側に向かって八字形の直線状に形成されているので、筒状カバー２の他端側２ｂから一端側２ａの移動に伴って、一対の切れ目１４，１４から両側部１０ｆ，１０ｆが一対の保持溝７，７に容易に挿入される。
【００４０】
そして、フレキシブル基板１０は、一対の切れ目１４，１４の始点１４ａ，１４ａが筒状カバー２内に導入した時点から、図５（ｂ）に示すように、切れ目１４，１４よりも他端部１０ｄ側にある短手方向の両側部１０ｆ，１０ｆが一対の保持溝７，７に挿入される。つまり、切れ目１４，１４よりも一端部１０ｃ側にある両端部１０ｆ，１０ｆは、爪部８ｂ，８ｂの上に乗り上がり、切れ目１４，１４よりも他端部１０ｄ側にある両端部１０ｆ，１０ｆは、一対の保持溝７，７に挿入される。フレキシブル基板１０の両側部１０ｆ，１０ｆは、保持部８，８の爪部８ｂ，８ｂおよび一対の保持溝７，７の内面形状により、フレキシブル基板１０の短手方向で筒状カバー２の内側に弾性変形（湾曲）される。
【００４１】
そして、フレキシブル基板１０は、引掛具２３による引っ張りにより、一対の切れ目１４，１４よりも引掛部１２側が基板載置面６ａから浮き上がり、当該両側部１０ｆ，１０ｆが爪部８ｂ，８ｂ上を摺動し、一対の切れ目１４，１４よりも他端部１０ｄ側の両側部１０ｆ，１０ｆが一対の保持溝７，７を摺動して、筒状カバー２内を移動する。フレキシブル基板１０は、本実施形態では、一対の切れ目１４，１４が筒状カバー２の一端側２ａの端面から導出し、コネクタ１３を含む他端部１０ｄが筒状カバー２に導入するまで、引掛具２３により引っ張られる。こうして、引掛具２３を引っ張ってフレキシブル基板１０の両側部１０ｆ，１０ｆを筒状カバー２の一対の保持溝７，７に挿入して、開口１６（引掛部１２）および一対の切れ目１４，１４を含むフレキシブル基板１０の一端部１０ｃを筒状カバー２から導出させる基板挿入工程が行われる。
【００４２】
フレキシブル基板１０は、両側部１０ｆ，１０ｆが弾性変形される一対の保持溝７，７に当該両側部１０ｆ，１０ｆが長手方向に亘って挿入するように引っ張られるので、開口１６における引っ張り力は、相応の大きさとなっている。これにより、薄いフレキシブル基板１０は、引っ張り力によっては、開口１６から破断することがある。しかしながら、開口１６の周囲は、補強手段としてのはんだ１７が設けられて強固にされているので、開口１６において相応の引張力で引っ張られても、はんだ１７が当該引っ張り力に抗する。これにより、フレキシブル基板１０は、引掛具２３により開口１６の周囲に相応の引っ張り力が作用しても、開口１６からの破断が防止される。したがって、フレキシブル基板１０は、開口１６に引っ掛けた引掛具２３を引っ張ることにより、両側部１０ｆ，１０ｆが長手方向に亘って一対の保持溝７，７に挿入可能となる。
【００４３】
そして、フレキシブル基板１０は、一対の保持溝７，７に挿入された両側部１０ｆ，１０ｆが筒状カバー２の内側に湾曲するように弾性変形することにより、その弾性変形に抗する弾性復帰力が短手方向の中央部１０ｅを基板載置面６ａ側に押圧する。これにより、フレキシブル基板１０の中央部１０ｅは、その裏面１０ｂ側が配設部６の長手方向に亘って基板載置面６ａに接触する。
【００４４】
切断工程では、筒状カバー２の他端側２ａから導出した一端部１０ｃ側がハサミまたは切断機により切断される。筒状カバー２に収納された発光体３は、フレキシブル基板１０に引掛部１２および一対の切れ目１４，１４を有しなくなる。この後、筒状カバー２の両端側２ａ，２ｂに口金４，５を取り付ける口金取付工程が行われる。
【００４５】
口金４，５は、筒状カバー２の両端側２ａ，２ｂを挿入し、固定手段例えば接着剤により取り付けられる。このとき、口金４は、保持子１９の長辺方向がフレキシブル基板１０の短手方向となるように、筒状カバー２の一端側２ａに取り付けられる。そして、引掛部１２および一対の切れ目１４，１４を含むフレキシブル基板１０の一端部１０ｃは、切断工程において切断されているので、当該一端部１０ｃを口金４内に収納することがなく、これにより、口金４の取付が容易に行えて、その分、製造のコスト低減が図れる。
【００４６】
また、口金５は、一対の給電用接触子１８，１８の先端側１８ａ，１８ａが互いに遠ざかる方向がフレキシブル基板１０の短手方向となるように、筒状カバー２の他端側２ｂに取り付けられる。そして、口金５は、筒状カバー２に取り付けられる前に、一対の給電用接触子１８，１８が接続線により発光体３のコネクタ１３に電気接続される。一対の給電用接触子１８，１８は、直並列された複数個のＬＥＤ１５（発光部１１）と電気接続される。
【００４７】
上述したように、直管形ランプ１は、引掛工程、基板挿入工程、切断工程および口金取付工程を有して形成されるので、フレキシブル基板１０の両側部１０ｆ，１０ｆを保持部８，８の一対の保持溝７，７に容易に挿入できて、発光体３を筒状カバー２に収納でき、これにより、安価に製造可能である。また、発光体３は、フレキシブル基板１０を用いて形成されることにより、軽量化されるとともに安価に形成される。また、筒状カバー２は、配設部６および保持部８，８と、透光部９とが樹脂による一体物に形成されるので、軽量化されるとともに安価に製造可能である。したがって、直管形ランプ１は、筒状カバー２の長手方向におけるしなり（撓み）が抑制されるとともに、安価に製造される。
【００４８】
直管形ランプ１は、その口金４，５が照明器具のソケットに装着される。そして、点灯装置から口金５の一対の給電用接触子１８，１８に所定の電力（定電流）が供給されると、発光体３の複数個のＬＥＤ１５は、発熱するとともに、点灯（発光）して白色光を放射する。白色光は、筒状カバー２の透光部９を透過し、照明空間に照射される。
【００４９】
そして、ＬＥＤ１５に発生した熱は、主としてフレキシブル基板１０から筒状カバー２の配設部６に熱伝導され、外周面６ｂから外部空間に放出される。ここで、フレキシブル基板１０の中央部１０ｅの裏面１０ｂは、配設部６の基板載置面６ａに接触しているので、フレキシブル基板１０から配設部６に迅速に熱伝導する。これにより、ＬＥＤ１５は、温度上昇が抑制されて長寿命化される。直管形ランプ１は、所定のランニング寿命が確保される。
【００５０】
本実施形態のライン状ランプとしての直管形ランプ１によれば、引掛具２３をフレキシブル基板１０の引掛部１２（開口１６）に引っ掛けて、フレキシブル基板１０を筒状カバー２の内側から引っ張ることにより、フレキシブル基板１０の両側部１０ｆ，１０ｆが保持部８，８の一対の保持溝７，７に挿入されて、発光体３が筒状カバー２に収納されるので、発光体３を筒状カバー２内に容易に取り付けることができて、これにより、製造コストを低減することができるという効果を有する。
【００５１】
また、直管形ランプ１は、発光体３がフレキシブル基板１０に発光部１１が設けられ、筒状カバー２が配設部６、フレキシブル基板１０を挿入する一対の保持溝７，７を有する保持部８，８および透光部９を有する一体物で形成されるので、軽量化されて、長手方向におけるしなり（撓み）を抑制することができるという効果を有する。
【００５２】
また、フレキシブル基板１０は、引掛部１２および発光部１１の間に一対の取付溝７，７への挿入を導く一対の切れ目１４，１４が設けられているので、一対の切れ目１４，１４よりも引掛部１２側の一端部１０ｃを保持部８，８から浮き上がらせることができて、フレキシブル基板１０の両側部１０ｆ，１０ｆを一対の保持溝７，７に長手方向に亘って容易に挿入できるという効果を有する。
【００５３】
また、発光体３は、フレキシブル基板１０の長手方向の他端部１０ｄに発光部１１に電気接続する電気接続部としてのコネクタ１３を有しているので、一端部１０ｃにおける引掛部１２および一対の切れ目１４，１４の形成領域を最小限にすることができ、これにより、フレキシブル基板１０の長手寸法を抑制できるという効果を有する。
【００５４】
また、引掛部１２は、開口１６であることにより、フレキシブル基板１０に容易に形成されるので、引掛部１２が設けられることによる発光体３のコスト上昇を抑制することができるという効果を有する。また、引掛部１２の周囲に補強手段としてのはんだ１７が設けられているので、フレキシブル基板１０が引掛具２３の引っ張り力により引掛部１２から破断することを防止することができるという効果を有する。
【００５５】
また、発光体３は、フレキシブル基板１０の短手方向の中央部１０ｅの一面１０ａ側に発光部１１が設けられ、筒状カバー２は、フレキシブル基板１０の中央部１０ｅの他面１０ｂ側が基板載置面６ａに接触するように配設部６および一対の保持溝７，７を有する保持部８，８が形成されているので、発光部１１に発生する熱をフレキシブル基板１０から配設部６および保持部８，８に迅速に熱伝導させて放出させることができるという効果を有する。
【００５６】
そして、直管形ランプ１は、引掛工程、基板挿入工程、切断工程および口金取付工程を有して形成され、切断工程において、フレキシブル基板１０の引掛部１２および一対の切り目１４，１４が設けられた一端部１０ｃが切断されるので、筒状カバー２の一端側２ａに口金４を取り付けるときに、当該一端部１０ｃを口金４内に収納する手間（工程）を省略することができて、その分、安価に製造できるという効果を有する。
【００５７】
なお、本実施形態において、フレキシブル基板１０は、開口１６に替えて、一面１０ａ側に突出する引掛部１２を設けてもよい。そして、フレキシブル基板１０の他面１０ｂ側を筒状カバー２の基板載置面６ａで摺動させるように、引掛部１２に引っ掛けた引掛具２３を引っ張るようにしてもよい。この場合であっても、フレキシブル基板１０の両側部１０ｆ，１０ｆを一対の保持溝７，７に挿入させて、発光体３を筒状カバー２内に収納可能である。このとき、フレキシブル基板１０の一端部１０ｃの２角部側を一対の切れ目１４，１４のように八字状にカットすると、フレキシブル基板１０の両側部１０ｆ，１０ｆを一対の保持溝７，７に容易に挿入させることができる。
【００５８】
また、筒状カバー２は、縦断面の外周面が円形状に形成されたが、これに限らず、例えば突出部を有する長方形などの多角形状であってもよく、言うなれば、筒状に形成されていればよい。
【００５９】
また、直管ランプ１は、筒状カバー２の両端側２ａ，２ｂに口金４，５を設けたが、これに限らず、例えば、他端側２ｂのみに口金５を設ける片口金型に構成してもよく、口金４，５を設けず、両端側２ａ，２ｂから発光体３に接続されたリード線を引き出す構成であってもよい。
【００６０】
次に、本発明の第２の実施形態について説明する。
【００６１】
図６に本実施形態の照明器具３１を示す。照明器具３１は、天井面に直付けされるベースライトであり、器具本体３２、図１に示すライン状ランプとしての直管形ランプ１および点灯装置３３を有して構成されている。器具本体３２は、例えば冷間圧延鋼板からなり、端板３４，３４および反射板３５を有する長形の箱体に形成されている。そして、器具本体３２は、その長手方向の両端側３２ｂ，３２ａに直管形ランプ１が着脱される一対のソケット３６，３７を取り付けている。また、器具本体３２は、その内部に点灯装置３３を配設している。
【００６２】
一対のソケット３６，３７には、直管形ランプ１の口金５，４が挿入されて接続されている。ソケット３６は、電源ソケットとなり、ソケット３７は、保持ソケットとなっている。点灯装置３３は、直管形ランプ１に定電流を供給し、直管形ランプ１を点灯するように形成されている。
【００６３】
本実施形態の照明器具３１によれば、直管形ランプ１は、安価に製造され、筒状カバー２の長手方向におけるしなり（撓み）が抑制されるので、外観を損なうことなく、安定した照明を行うことができるとともに、ランニングコストを低減できるという効果を有する。
【００６４】
なお、本実施形態の照明器具３１は、直付け形に限らず、埋め込み形や吊り下げ形の照明器具であってもよい。
【００６５】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００６６】
１…ライン状ランプとしての直管形ランプ、  ２…筒状カバー、  ３…発光体、  ７，７…一対の保持溝、  ８，８…保持部、  １０…フレキシブル基板、  １１…発光部、  １２…引掛部、  １３…電気接続部としてのコネクタ、  １４，１４…切れ目、  １６…引掛部としての開口、  １７…補強手段としてのはんだ、  ３１…照明器具、  ３２…器具本体
【図１】
2016025016.tif 000003
【図２】
2016025016.tif 000004
【図３】
2016025016.tif 000005
【図４】
2016025016.tif 000006
【図５】
2016025016.tif 000007
【図６】
2016025016.tif 000008